(57)【要約】【課題】鼻隠し板側に近付けて取り付けられた軒樋に用いられ、跳ね返り水が鼻隠し板側に飛散し、回り込んで鼻隠し板等、駆体の一部が損傷することを防止する軒樋雨水飛散防止装置を提供する。【解決手段】屋根軒先の下方に配設された軒樋６からの雨水の跳ね返りを防止する装置であって、軒樋吊り具Ａの下部に設けられた係止突出部３と飛散防止シート４とからなり、該飛散防止シート４は柔軟性部材からなるとともに、その上縁部４１は上記係止突出部３から吊り下げて支持され、上記軒樋６の上に垂下されてなる軒樋雨水飛散防止装置。好ましくは、上記軒樋吊り具Ａを被取着面に固着される固定板部１１と軒樋６を吊り下げ支持する軒樋吊り下げ部２とから構成し、上記軒樋吊り下げ部２の後耳掛止部２３近傍に上記係止突出部３が設けられる。【選択図】図３
2009127308.tif 000002
【特許請求の範囲】
【請求項１】
屋根軒先の下方に配設された軒樋からの雨水の跳ね返りを防止する装置であって、軒樋吊り具の下部に設けられた係止突出部と飛散防止シートとからなり、該飛散防止シートは柔軟性部材からなるとともに、その上縁部は上記係止突出部から吊り下げて支持され、上記軒樋の上に垂下されてなる軒樋雨水飛散防止装置。
【請求項２】
上記軒樋吊り具を被取着面に固着される固定板部と軒樋を吊り下げ支持する軒樋吊り下げ部とから構成するとともに、上記軒樋吊り下げ部の後耳掛止部近傍に上記係止突出部が設けられた請求項１に記載の軒樋雨水飛散防止装置。
【請求項３】
上記係止突出部が鉤状体とされた請求項２に記載の軒樋雨水飛散防止装置。
【請求項４】
上記飛散防止シートが断面半円弧状とされ凹面を上面として軒樋の内部に配設されてなる請求項１に記載の軒樋雨水飛散防止装置。
【請求項５】
上記飛散防止シートが水より軽い網状体で構成された請求項１に記載の軒樋雨水飛散防止装置。
【発明の詳細な説明】
【技術分野】
【０００１】
本願発明は、軒先に取り付けられる軒樋に屋根から流れ落ちる雨水や雨だれが或いは叩き付けるような大雨が直接軒樋に当たって該雨水が跳ね返って飛散し、鼻隠し板等駆体の一部が損傷することを防ぐための軒樋の雨水飛散防止装置に関するものである。
【背景技術】
【０００２】
建物の屋根に降った雨水は、軒先に取り付けられた軒樋に流れて、集水ます等を経て縦樋等の排水経路を経て排出される。通常、屋根の先端部から落下する雨水は、軒樋に流れ込み、上記のようにして排水されるが、大雨の際等、水勢が強いときや横殴りの風がある場合、軒樋から跳ね返り、あるいは溢れた雨水は鼻隠し板側に回り込み、鼻隠し板を損傷させ、また駆体の一部である軒先部を腐食させる原因となる。
【０００３】
上記した問題を解決するため、特開平１０−１０２６９８号公報には、通常予測される雨量に基づいて設計される従来の軒樋において、予測を越える豪雨豪雪の場合には、軒樋から離脱可能な雨水の飛散防止装置が開示されている。
【０００４】
すなわち、本願図４に示すように、屋根から流れ落ちる雨水が樋本体１００を越えて飛散しないように雨水を受け止める板状の飛散防止部材２００を樋本体１００の外側辺に固定具３００を用いて取り付ける雨水の飛散防止装置が開示されている。
【０００５】
そして、その効果として、降水量が増大して屋根を勢いよく流れ下った雨水が従来であれば軒樋を通り越してしまうような場合でも、確実に飛散防止材によって受け止められるので、隣接する家や設備に水がかかることを防止することができるとともに、冬季に屋根上の雪が軒から滑り落ちるような状態において、その荷重が固定具３００の挟持力を上回った時に飛散防止部材２００が樋本体１００から離脱してしまうので樋本体１００や飛散防止部材２００を破損することもないという効果を奏すると述べられている。
【特許文献１】特開平１０−１０２６９８号公報
【発明の開示】
【発明が解決しようとする課題】
【０００６】
しかしながら、上記特許文献１に記載の雨水の飛散防止装置においては、軒樋本体の前耳部に飛散防止材を組み付ける構造とされているため、冬季の雪のみならず、強風、暴風雨に加えて、軒樋に堆積したゴミや落ち葉を除去する際、踏みつける等、思いがけない外力が加わり、上記した飛散防止材が外れるという問題がある。また、飛散防止材を別部品として準備し、複雑な構造を有する固定具で固定するという煩雑な作業を要する。
【０００７】
本願発明は、上記背景技術に鑑みてなされたものであり、その目的は、鼻隠し板側に近付けて取り付けられた軒樋に用いられ、軒樋を直接、叩き打ち跳ね返る大雨時の雨水や軒先から軒樋に垂れ落ちて跳ね返る、跳ね返り水が鼻隠し板側に飛散し、回り込んで鼻隠し板等が損傷することを防止し、また、駆体の一部である軒先部を腐食から防ぐことのできる軒樋雨水飛散防止装置を提供することである。
【課題を解決するための手段】
【０００８】
上記課題を解決するために、本願請求項１記載の発明に係る軒樋雨水飛散防止装置は、屋根軒先の下方に配設された軒樋からの雨水の跳ね返りを防止する装置であって、軒樋吊り具の下部に設けられた係止突出部と飛散防止シートとからなり、該飛散防止シートは柔軟性部材からなるとともに、その上縁部は上記係止突出部から吊り下げて支持され、上記軒樋上に垂下されてなることを特徴としている。
【０００９】
本願請求項２記載の発明は、上記請求項１記載の軒樋雨水飛散防止装置において、上記軒樋吊り具を被取着面に固着される固定板部と軒樋を吊り下げ支持する軒樋吊り下げ部とから構成するとともに、上記軒樋吊り下げ部の後耳掛止部近傍に上記係止突出部が設けられたことを特徴としている。被取着面としては、鼻隠し板等、駆体の一部を構成するものをあげることができる。
【００１０】
本願請求項３記載の発明は、上記請求項２記載の軒樋雨水飛散防止装置において、上記係止突出部が鉤状体のものを用いることを特徴としている。鉤状体としては、いわゆるフック形状の係止手段をあげることができる。
【００１１】
本願請求項４記載の発明は、上記請求項１記載の軒樋雨水飛散防止装置において、上記飛散防止シートが断面半円弧状とされ凹面を上面として軒樋の内部に配設されてなることを特徴としている。
【００１２】
本願請求項５記載の発明は、上記請求項１記載の軒樋雨水飛散防止装置において、記飛散防止シートが水より軽い網状体で構成されたことを特徴としている。水より軽い網状体として用いられる部材は特に限定されないが、比重が１よりも小さい合成樹脂、例えば、ポリエチレン、ポリプロピレン、塩化ビニル樹脂、ナイロンあるいはポリエステル系のポリマーを網状体に加工して形成されたものを好ましく用いることができる。上記ポリマーの中で、発泡剤で発泡させることができるものは、発泡体とし、これをシート状に加工してもよい。あるいは、網体として用いてもよい。
【発明の効果】
【００１３】
本願請求項１記載の発明に係る軒樋雨水飛散防止装置においては、軒樋吊り具の下部に設けられた係止突出部と飛散防止シートとからなり、該飛散防止シートは柔軟性部材からなるとともに、その上縁部が上記係止突出部から吊り下げて支持されるため、重力により垂れ下がった状態となり、余長の飛散防止シートは自由端部となって軒樋内に配設されるため、直接、軒樋を叩き打つ大雨や軒先から軒樋に滴り落ちる雨水の衝撃を緩和し、跳ね返ることを防ぐ。
【００１４】
その結果、飛散する跳ね返り水の量を少なくすることが可能となり、上記の軒樋に直接当たる大雨のときや軒先から滴下し、軒樋によって跳ね返された雨水が鼻隠し板側に回り込み鼻隠し板等の軒先部が損傷することを防止する。また、降雪地帯においては、屋根から滑り落ちた雪や氷が上記飛散防止シートによって一旦受けられ、衝撃を柔らげて軒樋に落ちるため、軒樋の損傷を防ぐことができる。
【００１５】
本願請求項２記載の発明に係る軒樋雨水飛散防止装置においては、特に、上記軒樋吊り具を、鼻隠し板等の被取着面に固着される固定板部と軒樋を吊り下げ支持する軒樋吊り下げ部とから構成するとともに、上記軒樋吊り下げ部の後耳掛止部近傍に上記係止突出部を設け、この係止突出部に柔軟性部材からなる飛散防止シートの上縁部を係止することにより、垂下した飛散防止シートが軒樋の形状に柔軟に対応して軒樋内に配設され、上記した跳ね返り水の量をさらに少なくすることができる。また、容易に脱着することも可能であり、軒樋にゴミや落ち葉等が堆積したとき等は、簡単に取り外して掃除をすることができる。
【００１６】
本願請求項３記載の発明に係る軒樋雨水飛散防止装置においては、特に、上記係止突出部を鉤状体とすることにより、上記飛散防止シートを網状体で形成したとき、容易に鉤状体、例えば、フックを網目に引っ掛けて係止することができる。また、係止の解除は網目をフックから外すだけで容易に行うことができる。すなわち、簡単に、着脱することができる。
【００１７】
本願請求項４記載の発明に係る軒樋雨水飛散防止装置においては、特に、上記雨水飛散防止シートが断面半円弧状とし、凹面を上面として軒樋の内部に配設することにより、軒樋を叩き打つ大雨や軒先から軒樋に滴り落ちる雨水の衝撃を緩和し、更に効率的に跳ね返り水の飛散量を少なくすることができる。
【００１８】
本願請求項５記載の発明に係る軒樋雨水飛散防止装置においては、特に、上記飛散防止シートが水より軽い網状体で構成されているため、例えば、合成樹脂から形成することにより、強度と柔軟性とを併せ持ち、かつ安価な樹脂を用いることにより、施工コストを抑えることできる。
【００１９】
上記飛散防止シートを比重が１より小である素材、例えば、ポリエチレンで網状体に構成することにより、軒樋中の雨水に常に浮かせることが可能で、更に網状とすることにより、対衝撃性が向上し、跳ね返り水の飛散量を少なくすることが可能な優れた網状体を得ることができる。また、上記網状体と係止突出部との着脱を容易に行うことができるため、軒樋を施工した後でも本願発明の飛散防止シートを後付けすることができる。さらに、不要な場合は取り外して収納し、必要な場合のみ装着することもできる。
【発明を実施するための最良の形態】
【００２０】
図１は、本願発明に係る軒樋雨水飛散防止装置の基体を構成する軒樋吊り具Ａ
を示す斜視図である。図１に示すように、上記軒樋吊り具Ａは、図示しない鼻隠し板等の被取着面に固着される固定板部１と図外軒樋を支持する軒樋吊り下げ部２とから構成される。
【００２１】
図１に示すように、上記固定板部１には上記被取着面に固着するためのビスが挿通する固定用ビス孔１１が設けられ、上記軒樋吊り下げ部２は、上記固定板部１に連結される吊り下げ部本体２１と図外軒樋の前耳部を掛止する前耳掛止部２２と図外軒樋の後耳部を掛止する後耳掛止部２３とを含んでなり、吊り下げ部本体２１の下面で、上記後耳掛止部２３近傍には係止突出部３が上部を開口して設けられている。飛散防止シートは、上記係止突出部３によって吊り下げて支持され、軒樋の上に垂下する。
【００２２】
図２は、本願発明の軒樋雨水飛散防止装置に係る飛散防止シートとして柔軟性部材である合成樹脂を断面半円弧状に形成し、網状体４として用いた状態を示す説明図である。図２に示されているように、固定板部１には固定用ビス孔１１が穿たれ、この固定用ビス孔１１を挿通するビスによって軒樋吊り具Ａは鼻隠し板５に固定されている。また、軒樋６は、その前耳部６１が吊り下げ部本体２１の前耳掛止部２２に掛止され、その後耳部６２が吊り下げ部本体２１の後耳掛止部２３に掛止されることにより、しっかりと軒樋吊り具Ａによって吊り下げ支持されている。上記網状体４は、その上縁部４１が後耳掛止部２３近傍に設けられた係止突出部３に係止され、断面半円弧状とされるとともに、凹面を上面として軒樋６の内部に配設される。
【００２３】
図３は、図２に示す断面半円弧状の網状体４が軒樋を流れる雨水に浮かんだ状態を示す説明図である。図３に模式的に示すように、網状体４は水より軽い柔軟性部材から形成され、水Ｗに浮かぶため、軒先部から滴下する雨だれや軒樋６に直接降りかかる雨は柔軟性のある断面半円弧状の網状体４によって衝撃を緩和して受けられ、跳ね返りを防ぐことができる。また、上記軒先部は、野地板７と屋根材８とから構成されている。
【００２４】
上記軒樋吊り具Ａを、鼻隠し板５に一定間隔、例えば、９０ｃｍピッチで取付けるとともに、後耳掛止部２３近傍に設けられた係止突出部３によって上記網状体４の上縁を係止することにより、軒先の長手方向全体に亘って本願発明にかかる網状体４を軒樋６の内部に配設することができる。
【００２５】
このようにして、網状体４を軒樋６内に配設することにより、叩き付けるような大雨や、軒先から滴り落ちる雨水が跳ね返えることを柔軟に、その衝撃を吸収して防ぎ、鼻隠し板５等の被取着面の湿気による傷みや腐食が生じることを防ぎ、重要な駆体の一部を雨水から保護することができる。また、上記したように、網状体４は合成樹脂から形成され、柔軟性を有しているため、係止突出部３に容易に係止され、脱着も容易に行うことができる。
【００２６】
例えば、網状体４の網目を通った落ち葉や紙切れ等のゴミが軒樋６に堆積した場合は、網状体４を係止突出部３から取り外して容易に軒樋６の内部を掃除することができる。なお、上記した実施形態においては、係止突出部３として鉤状体のもの、すなわちフックを用いたが、鉤状体のみならず、網状体４の網目が外れることを防ぐ傘型の突起を有する突起体を用いてもよい。
【００２７】
更に網状体４に替えて発泡した合成樹脂、例えば、包装用として用いられる発泡ポリエチレンをシート状に加工し、好ましくは、網体に加工して用いてもよい。このようにすることにより、水より軽い網体を安価に得ることができる。上記
のように、本願発明は設計変更自在であり、特許請求の範囲を逸脱しない限り、種々の変更実施例は本願発明の技術的範囲に属する。
【図面の簡単な説明】
【００２８】
【図１】本願発明に係る軒樋雨水飛散防止装置の基体を構成する軒樋吊り具を示す斜視図。
【図２】本願発明の軒樋雨水飛散防止装置に係る飛散防止シートとして柔軟性部材である合成樹脂を断面半円弧状に形成して網状体として用いた状態を示す説明図。
【図３】図２に示す断面半円弧状の網状体が軒樋を流れる雨水に浮かんだ状態を示す説明図。
【図４】公知の軒樋における雨水の飛散防止装置。
【符号の説明】
【００２９】
Ａ      本願発明にかかる軒樋吊り具
Ｂ      公知の軒樋における雨水の飛散防止装置
Ｗ      水
１      固定板部
１１    固定用ビス孔
２      軒樋吊り下げ部
２１    吊り下げ部本体
２２    前耳掛止部
２３    後耳掛止部
３      係止突出部
４      網状体
４１    上縁部
５      鼻隠し板
６      軒樋
６１    前耳部
６２    後耳部
７      野地板
８      屋根材
【図１】
2009127308.tif 000003
【図２】
2009127308.tif 000004
【図３】
2009127308.tif 000005
【図４】
2009127308.tif 000006